(57)【要約】【課題】放送波の受信強度が低下した場合でも、継続して放送コンテンツを視聴することが可能な携帯端末を提供する。【解決手段】この携帯端末１００は、放送コンテンツを放送波で受信するチューナ１０２と、ＳＴＢ２００から転送された放送コンテンツを受信する通信ネットワーク送受信部１０４と、放送コンテンツを表示するディスプレイ１０８と、チューナ１０２を介して受信した放送コンテンツを視聴中に放送波の受信強度が所定の閾値以下に低下した場合に、放送コンテンツをＳＴＢ２００から転送させる制御を行うＣＰＵ１０１とを備える。【選択図】図１
2014096734.tif 000002
【特許請求の範囲】
【請求項１】
電子機器とネットワークを介して通信する携帯端末であって、
放送コンテンツを放送波で受信する受信部と、
前記電子機器から転送された放送コンテンツを受信する通信部と、
前記放送コンテンツを表示する表示部と、
前記受信部を介して受信した放送コンテンツを視聴中に前記放送波の受信強度が所定の閾値以下に低下した場合に、前記放送コンテンツを前記電子機器から転送させる制御を行う制御部とを備える、携帯端末。
【請求項２】
前記放送コンテンツを記憶する記憶部をさらに備え、
前記放送コンテンツは、前記記憶部にバッファとして記憶され、
前記制御部は、前記放送波の受信強度が所定の閾値以下に低下した場合に、前記受信部を介して受信して前記記憶部にバッファとして記憶された前記放送コンテンツを再生しながら、前記放送コンテンツを前記電子機器から転送させる制御を行うように構成されている、請求項１に記載の携帯端末。
【請求項３】
前記制御部は、前記放送波の受信強度が所定の閾値以下に低下した場合に、前記通信部を介して受信した前記放送コンテンツを前記記憶部にバッファとして記憶させるとともに、前記記憶部に所定の量の放送コンテンツデータが記憶されて蓄積されてから、前記受信部を介して受信した前記放送コンテンツを前記表示部に表示する制御から前記通信部を介して受信した前記放送コンテンツを前記表示部に表示する制御に切り替えるように構成されている、請求項２に記載の携帯端末。
【請求項４】
前記制御部は、前記放送コンテンツの視聴開始時に、前記受信部を介して受信した前記放送コンテンツを前記記憶部にバッファとして記憶させるとともに、前記記憶部に所定の量の放送コンテンツデータが記憶されて蓄積されるまで、再生速度を落として前記放送コンテンツを前記表示部に表示する制御を行うように構成されている、請求項２または３に記載の携帯端末。
【請求項５】
前記制御部は、前記受信部を介して受信した前記放送コンテンツを前記表示部に表示する制御から前記通信部を介して受信した前記放送コンテンツを前記表示部に表示する制御に切り替える場合に、前記通信部を介して受信した前記放送コンテンツを前記記憶部にバッファとして記憶させるとともに、前記記憶部に所定の量の放送コンテンツデータが記憶されて蓄積されるまで、再生速度を落として前記放送コンテンツを前記表示部に表示する制御を行うように構成されている、請求項２〜４のいずれか１項に記載の携帯端末。
【請求項６】
前記制御部は、前記受信部を介して受信した前記放送コンテンツを再生して前記表示部に表示している場合において、前記放送波の受信強度が放送コンテンツを再生できなくなる第１の閾値より大きい第２の閾値以下になった場合に、前記電子機器に、前記放送コンテンツを受信させてネットワークを介して前記放送コンテンツをストリーミング配信させるための配信要求信号を送信するように構成されている、請求項１〜５のいずれか１項に記載の携帯端末。
【請求項７】
前記制御部は、前記通信部を介して前記電子機器から受信した前記放送コンテンツを再生して前記表示部に表示している場合において、前記放送波の受信強度が前記第２の閾値より大きい状態が所定の時間以上続いた場合に、前記受信部を介して前記放送コンテンツを受信して前記表示部に表示する制御に切り替えるように構成されている、請求項６に記載の携帯端末。
【請求項８】
前記制御部は、前記通信部を介して前記電子機器から受信した前記放送コンテンツを再生して前記表示部に表示している場合において、前記放送波の受信強度が前記第２の閾値より大きい第３の閾値より大きくなった場合に、前記受信部を介して前記放送コンテンツを受信して前記表示部に表示する制御に切り替えるように構成されている、請求項７に記載の携帯端末。
【請求項９】
前記制御部は、前記受信部を介して受信した前記放送コンテンツを前記表示部に表示する制御から前記通信部を介して受信した前記放送コンテンツを前記表示部に表示する制御に切り替える場合に、前記放送コンテンツの時間情報に基づいて同期するように切り替えるように構成されている、請求項１〜８のいずれか１項に記載の携帯端末。
【請求項１０】
所定の場所に設置され、放送波から放送コンテンツを受信する電子機器と、
電子機器とネットワークを介して通信する携帯端末とを備え、
前記携帯端末は、
放送コンテンツを放送波で受信する受信部と、
前記電子機器から転送された放送コンテンツを受信する通信部と、
前記受信部を介して受信した放送コンテンツを視聴中に前記放送波の受信強度が所定の閾値以下に低下した場合に、前記放送コンテンツを前記電子機器から転送させる制御を行う制御部とを含む、視聴システム。
【発明の詳細な説明】
【技術分野】
【０００１】
この発明は、携帯端末および視聴システムに関し、特に、受信部を備えた携帯端末および視聴システムに関する。
【背景技術】
【０００２】
従来、受信部を備えた携帯端末および視聴システムが知られている（たとえば、特許文献１参照）。
【０００３】
上記特許文献１には、放送波から番組（放送コンテンツ）を受信可能なモバイルチューナ（受信部）と、ネットワークを介してホームサーバ装置と通信可能なモバイル通信部（通信部）と、表示部と、モバイルチューナを介して番組を受信して表示部に表示している場合において、放送波の強度が不十分である場合に、ネットワークを介してホームサーバ装置に対して番組の録画を指示する制御を行うモバイル制御部（制御部）とを備えるモバイルＡＶ装置（携帯端末）が開示されている。
【先行技術文献】
【特許文献】
【０００４】
【特許文献１】特開２００６−７４３８５号公報
【発明の概要】
【発明が解決しようとする課題】
【０００５】
しかしながら、上記特許文献１のモバイルＡＶ装置（携帯端末）では、放送波の強度が不十分である場合に、ネットワークを介してホームサーバ装置に対して番組の録画を指示するため、後で録画した番組を視聴することが可能であるものの、モバイルＡＶ装置により継続して番組（放送コンテンツ）を視聴することができないという問題点がある。
【０００６】
この発明は、上記のような課題を解決するためになされたものであり、この発明の１つの目的は、放送波の受信強度が低下した場合でも、継続して放送コンテンツを視聴することが可能な携帯端末および視聴システムを提供することである。
【課題を解決するための手段】
【０００７】
この発明の第１の局面による携帯端末は、電子機器とネットワークを介して通信する携帯端末であって、放送コンテンツを放送波で受信する受信部と、電子機器から転送された放送コンテンツを受信する通信部と、放送コンテンツを表示する表示部と、受信部を介して受信した放送コンテンツを視聴中に放送波の受信強度が所定の閾値以下に低下した場合に、放送コンテンツを電子機器から転送させる制御を行う制御部とを備える。
【０００８】
この発明の第１の局面による携帯端末では、上記のように、受信部を介して受信した放送コンテンツを視聴中に放送波の受信強度が所定の閾値以下に低下した場合に、放送コンテンツを電子機器から転送させる制御を行う制御部を設けることによって、放送波の受信強度が低下した場合に、電子機器が受信した放送コンテンツが通信部を介して受信され、受信された放送コンテンツが表示部に表示されるので、放送波の受信強度が低下した場合でも、継続して放送コンテンツを視聴することができる。
【０００９】
上記第１の局面による携帯端末において、好ましくは、放送コンテンツを記憶する記憶部をさらに備え、放送コンテンツは、記憶部にバッファとして記憶され、制御部は、放送波の受信強度が所定の閾値以下に低下した場合に、受信部を介して受信して記憶部にバッファとして記憶された放送コンテンツを再生しながら、放送コンテンツを電子機器から転送させる制御を行うように構成されている。このように構成すれば、放送波の受信強度が低下した場合に、受信部を介して受信して記憶部にバッファとして記憶された放送コンテンツが再生されて表示部に表示されるので、通信部を介して受信した放送コンテンツへの切り替え時に、放送コンテンツの表示が途切れることを容易に抑制することができる。
【００１０】
この場合、好ましくは、制御部は、放送波の受信強度が所定の閾値以下に低下した場合に、通信部を介して受信した放送コンテンツを記憶部にバッファとして記憶させるとともに、記憶部に所定の量の放送コンテンツデータが記憶されて蓄積されてから、受信部を介して受信した放送コンテンツを表示部に表示する制御から通信部を介して受信した放送コンテンツを表示部に表示する制御に切り替えるように構成されている。このように構成すれば、通信部を介して受信した放送コンテンツを表示部に表示するように切り替える場合に、放送コンテンツの表示が途切れることを容易に抑制することができる。
【００１１】
上記記憶部を備える構成において、好ましくは、制御部は、放送コンテンツの視聴開始時に、受信部を介して受信した放送コンテンツを記憶部にバッファとして記憶させるとともに、記憶部に所定の量の放送コンテンツデータが記憶されて蓄積されるまで、再生速度を落として放送コンテンツを表示部に表示する制御を行うように構成されている。このように構成すれば、放送コンテンツの視聴開始時に、再生速度を落として放送コンテンツを表示部に表示しつつ、所定の量の放送コンテンツデータを記憶部にバッファとして蓄積させることができるので、放送コンテンツの視聴開始時に、放送コンテンツが表示されるまでの待ち時間を減少させながら、放送波の受信強度が低下した場合に、所定量のバッファにより、放送コンテンツの表示を一定時間継続することができる。
【００１２】
上記記憶部を備える構成において、好ましくは、制御部は、受信部を介して受信した放送コンテンツを表示部に表示する制御から通信部を介して受信した放送コンテンツを表示部に表示する制御に切り替える場合に、通信部を介して受信した放送コンテンツを記憶部にバッファとして記憶させるとともに、記憶部に所定の量の放送コンテンツデータが記憶されて蓄積されるまで、再生速度を落として放送コンテンツを表示部に表示する制御を行うように構成されている。このように構成すれば、通信部を介して受信した放送コンテンツを表示部に表示するように切り替える場合に、放送コンテンツの表示が途切れることを抑制しながら、記憶部に所定の量の放送コンテンツデータを容易に蓄積することができる。
【００１３】
上記第１の局面による携帯端末において、好ましくは、制御部は、受信部を介して受信した放送コンテンツを再生して表示部に表示している場合において、放送波の受信強度が放送コンテンツを再生できなくなる第１の閾値より大きい第２の閾値以下になった場合に、電子機器に、放送コンテンツを受信させてネットワークを介して放送コンテンツをストリーミング配信させるための配信要求信号を送信するように構成されている。このように構成すれば、放送波の受信強度の低下に伴うストリーミング配信のトリガーとして、放送コンテンツを再生できなくなる第１の閾値よりも大きい第２の閾値が用いられるので、第２の閾値以下になった場合に、放送波の受信を継続しながら、電子機器に放送コンテンツをストリーミング配信させることができる。その結果、放送波の受信強度が低下した場合に、放送コンテンツの表示が途切れることを確実に抑制することができる。
【００１４】
この場合、好ましくは、制御部は、通信部を介して電子機器から受信した放送コンテンツを再生して表示部に表示している場合において、放送波の受信強度が第２の閾値より大きい状態が所定の時間以上続いた場合に、受信部を介して放送コンテンツを受信して表示部に表示する制御に切り替えるように構成されている。このように構成すれば、放送波の受信強度が回復した状態が所定時間継続した場合に、受信部を介して放送コンテンツを受信して表示部に表示する制御に戻されるので、放送波の受信強度が第２の閾値より大きくなった場合にすぐに戻す場合と異なり、放送波の受信強度の第２の閾値近傍での揺らぎにより、受信部を介して受信した放送コンテンツを再生して表示部に表示する制御と、通信部を介して受信した放送コンテンツを再生して表示部に表示する制御とが頻繁に切り替わること（チャタリング）を抑制することができる。
【００１５】
上記制御部が配信要求信号を送信する構成において、好ましくは、制御部は、通信部を介して電子機器から受信した放送コンテンツを再生して表示部に表示している場合において、放送波の受信強度が第２の閾値より大きい第３の閾値より大きくなった場合に、受信部を介して放送コンテンツを受信して表示部に表示する制御に切り替えるように構成されている。このように構成すれば、放送波の受信強度が一時的に第２の閾値より大きくなった場合に切り替える場合と異なり、放送波の受信強度の第２の閾値近傍での揺らぎにより、受信部を介して受信した放送コンテンツを再生して表示部に表示する制御と、通信部を介して受信した放送コンテンツを再生して表示部に表示する制御とが頻繁に切り替わること（チャタリング）を抑制することができる。
【００１６】
上記第１の局面による携帯端末において、好ましくは、制御部は、受信部を介して受信した放送コンテンツを表示部に表示する制御から通信部を介して受信した放送コンテンツを表示部に表示する制御に切り替える場合に、放送コンテンツの時間情報に基づいて同期するように切り替えるように構成されている。このように構成すれば、受信部を介して受信した放送コンテンツを表示部に表示する制御から通信部を介して受信した放送コンテンツを表示部に表示する制御に切り替える場合に、視聴中の放送コンテンツを容易に連続して途切れることなく表示部に表示することができる。
【００１７】
この発明の第２の局面による視聴システムは、所定の場所に設置され、放送波から放送コンテンツを受信する電子機器と、電子機器とネットワークを介して通信する携帯端末とを備え、携帯端末は、放送コンテンツを放送波で受信する受信部と、電子機器から転送された放送コンテンツを受信する通信部と、受信部を介して受信した放送コンテンツを視聴中に放送波の受信強度が所定の閾値以下に低下した場合に、放送コンテンツを電子機器から転送させる制御を行う制御部とを含む。
【００１８】
この発明の第２の局面による視聴システムでは、上記のように、受信部を介して受信した放送コンテンツを視聴中に放送波の受信強度が所定の閾値以下に低下した場合に、放送コンテンツを電子機器から転送させる制御を行う制御部を設けることによって、放送波の受信強度が低下した場合に、電子機器が受信した放送コンテンツが通信部を介して受信され、受信された放送コンテンツが表示部に表示されるので、放送波の受信強度が低下した場合でも、継続して放送コンテンツを視聴することが可能な視聴システムを提供することができる。
【発明の効果】
【００１９】
本発明によれば、上記のように、放送波の受信強度が低下した場合でも、継続して放送コンテンツを視聴することができる。
【図面の簡単な説明】
【００２０】
【図１】本発明の第１実施形態による視聴システムの全体構成を示した概略図である。
【図２】本発明の第１実施形態による携帯端末の構成を示したブロック図である。
【図３】本発明の第１実施形態によるＳＴＢの構成を示したブロック図である。
【図４】本発明の第１実施形態による携帯端末のバッファ量を説明するための図である。
【図５】本発明の第１実施形態による携帯端末のＣＰＵおよびＳＴＢのＣＰＵによる放送コンテンツ再生処理を説明するためのシーケンス図である。
【図６】本発明の第２実施形態による携帯端末のＣＰＵおよびＳＴＢのＣＰＵによる放送コンテンツ再生処理を説明するためのシーケンス図である。
【発明を実施するための形態】
【００２１】
以下、本発明の実施形態を図面に基づいて説明する。
【００２２】
（第１実施形態）
まず、図１〜図３を参照して、本発明の第１実施形態による視聴システム１の構成について説明する。
【００２３】
視聴システム１は、図１に示すように、携帯端末１００と、ＳＴＢ（セットトップボックス）２００とを備える。携帯端末１００は、持ち運び可能に構成されている。また、携帯端末１００は、基地局（図示せず）を介して通信ネットワーク３００に接続されている。また、携帯端末１００は、放送波を受信可能に構成されている。ＳＴＢ２００は、宅内の所定の位置に設置されている。また、ＳＴＢ２００は、放送波を受信可能に構成されている。また、ＳＴＢ２００は、通信ネットワーク３００に接続されている。通信ネットワーク３００は、インターネットを含む。なお、ＳＴＢ２００は、本発明の「電子機器」の一例である。また、通信ネットワーク３００は、本発明の「ネットワーク」の一例である。
【００２４】
携帯端末１００は、アプリケーションを動作させて利用されるように構成されている。また、携帯端末１００は、通信ネットワーク３００に接続して情報を視聴するために用いられるように構成されている。また、携帯端末１００は、放送コンテンツを視聴するために用いられるように構成されている。また、携帯端末１００は、図２に示すように、ＣＰＵ（中央演算処理装置）１０１と、チューナ１０２と、復調部１０３と、通信ネットワーク送受信部１０４と、メモリ１０５と、デコーダ１０６と、アンテナ１０７と、ディスプレイ１０８と、スピーカ１０９とを含む。なお、ＣＰＵ１０１は、本発明の「制御部」の一例である。また、チューナ１０２は、本発明の「受信部」の一例であり、通信ネットワーク送受信部１０４は、本発明の「通信部」の一例である。また、メモリ１０５は、本発明の「記憶部」の一例であり、ディスプレイ１０８は、本発明の「表示部」の一例である。
【００２５】
ＣＰＵ１０１は、携帯端末１００の各部を制御するように構成されている。また、ＣＰＵ１０１は、チューナ１０２を介して受信した放送コンテンツを再生して、ディスプレイ１０８に画像を表示するとともに、スピーカ１０８から音声を出力する制御を行うように構成されている。また、ＣＰＵ１０１は、通信ネットワーク送受信部１０４を介してＳＴＢ２００が受信した放送コンテンツを受信し、受信した放送コンテンツを再生して、ディスプレイ１０８に画像を表示するとともに、スピーカ１０８から音声を出力する制御を行うように構成されている。また、ＣＰＵ１０１は、通信ネットワーク送受信部１０４を介してＳＴＢ２００に対して操作信号を送信可能に構成されている。また、ＣＰＵ１０１は、チューナ１０２または通信ネットワーク送受信部１０４を介して受信した放送コンテンツをメモリ１０５のバッファに一時記憶（バッファリング）するように構成されている。
【００２６】
また、ＣＰＵ１０１は、メモリ１０５のバッファに記憶された放送コンテンツデータを順次読み出してディスプレイ１０８に表示する制御を行うように構成されている。また、ＣＰＵ１０１は、メモリ１０５に所定の量の放送コンテンツデータが記憶されて蓄積されるまで、再生速度を落として放送コンテンツをディスプレイ１０８に表示する制御を行うように構成されている。つまり、メモリ１０５にバッファとして所定の量の放送コンテンツデータが蓄積された後は、記憶される量と、読み出される量とが均衡することにより、メモリ１０５の放送コンテンツデータの蓄積量が一定となる。
【００２７】
ここで、第１実施形態では、ＣＰＵ１０１は、チューナ１０２を介して受信した放送コンテンツを視聴中に放送波の受信強度が所定の閾値以下に低下した場合に、放送コンテンツをＳＴＢ２００から転送させる制御を行うように構成されている。また、ＣＰＵ１０１は、チューナ１０２を介して受信した放送コンテンツを再生してディスプレイ１０８に表示している場合において、放送波の受信強度が所定の閾値以下に低下した場合に、チューナ１０２を介して受信してメモリ１０５にバッファとして記憶された放送コンテンツを再生してディスプレイ１０８に表示しながら、通信ネットワーク送受信部１０４を介して放送コンテンツをＳＴＢ２００から受信し、通信ネットワーク送受信部１０４を介して受信した放送コンテンツをディスプレイ１０８に表示するように切り替える制御を行うように構成されている。
【００２８】
具体的には、ＣＰＵ１０１は、放送波の受信強度が放送コンテンツを再生できなくなる第１の閾値（たとえば、５０パーセント）より大きい第２の閾値（たとえば、７０パーセント）以下になった場合に、ＳＴＢ２００に、放送コンテンツを受信させて通信ネットワーク３００を介して放送コンテンツをストリーミング配信させるための配信要求信号を送信するように構成されている。また、ＣＰＵ１０１は、メモリ１０５にバッファとして記憶された放送コンテンツを順次読み出して再生してディスプレイ１０８に表示するように構成されている。また、ＣＰＵ１０１は、この際に、通信ネットワーク送受信部１０４を介して受信した放送コンテンツをメモリ１０５にバッファとして記憶させるように構成されている。また、ＣＰＵ１０１は、メモリ１０５に所定の量の放送コンテンツデータが記憶されて蓄積されるまでの期間、再生速度を落として（たとえば、０．８倍速）放送コンテンツをディスプレイ１０８に表示する制御を行うように構成されている。また、ＣＰＵ１０１は、メモリ１０５に所定の量の放送コンテンツデータが記憶されて蓄積されてから、チューナ１０２を介して受信した放送コンテンツをディスプレイ１０８に表示する制御から通信ネットワーク送受信部１０４を介して受信した放送コンテンツをディスプレイ１０８に表示する制御に切り替えるように構成されている。これにより、ＣＰＵ１０１は、チューナ１０２を介して受信した放送コンテンツをディスプレイ１０８に表示する制御から、通信ネットワーク送受信部１０４を介して受信した放送コンテンツをディスプレイ１０８に表示する制御に切り替える制御を行うように構成されている。
【００２９】
また、ＣＰＵ１０１は、放送コンテンツの視聴開始時に、チューナ１０２を介して受信した放送コンテンツをメモリ１０５にバッファとして記憶させるとともに、メモリ１０５に所定の量の放送コンテンツデータが記憶されて蓄積されるまで、再生速度を落として放送コンテンツをディスプレイ１０８に表示する制御を行うように構成されている。具体的には、ＣＰＵ１０１は、メモリ１０５に所定の量の放送コンテンツデータが記憶されて蓄積されるまで、放送コンテンツを０．８倍速で再生してディスプレイ１０８に表示する制御を行うように構成されている。この場合、ＣＰＵ１０１は、再生速度を段階的に変化させてディスプレイ１０８に表示させてもよい。たとえば、０．８倍速、０．９倍速と再生速度を段階的に変化させてもよい。これにより、ユーザが違和感なく放送コンテンツを視聴することが可能である。
【００３０】
また、ＣＰＵ１０１は、通信ネットワーク送受信部１０４を介してＳＴＢ２００から受信した放送コンテンツを再生してディスプレイ１０８に表示している場合において、放送波の受信強度が第２の閾値（たとえば、７０パーセント）より大きい状態が所定の時間（たとえば、１０分間）以上続いた場合に、チューナ１０２を介して放送コンテンツを受信してディスプレイ１０８に表示する制御に切り替えるように構成されている。つまり、ＣＰＵ１０１は、放送波の受信強度が第２の閾値（たとえば、７０パーセント）より大きい状態が所定の時間（たとえば、１０分間）以上続いた場合に、十分視聴可能である放送波の強度に戻ったと判断するように構成されている。
【００３１】
また、ＣＰＵ１０１は、チューナ１０２を介して受信した放送コンテンツをディスプレイ１０８に表示する制御から通信ネットワーク送受信部１０４を介して受信した放送コンテンツをディスプレイ１０８に表示する制御に切り替える場合に、放送コンテンツの時間情報に基づいて同期するように切り替えるように構成されている。つまり、ＣＰＵ１０１は、放送コンテンツのタイミングが合うように、チューナ１０２を介して受信した放送コンテンツをディスプレイ１０８に表示する制御から通信ネットワーク送受信部１０４を介して受信した放送コンテンツをディスプレイ１０８に表示する制御に切り替えるように構成されている。具体的には、ＣＰＵ１０１は、放送コンテンツの現在の日付および時刻の情報が含まれるＴＯＴ（Ｔｉｍｅ  Ｏｆｆｓｅｔ  Ｔａｂｌｅ）、または、ＴＤＴ（Ｔｉｍｅ  Ｄａｔｅ  Ｔａｂｌｅ）を参照して、チューナ１０２を介して受信した放送コンテンツと、通信ネットワーク送受信部１０４を介して受信した放送コンテンツとが同期するように、チューナ１０２を介して受信した放送コンテンツをディスプレイ１０８に表示する制御から通信ネットワーク送受信部１０４を介して受信した放送コンテンツをディスプレイ１０８に表示する制御に切り替えるように構成されている。
【００３２】
チューナ１０２は、放送波から放送コンテンツを受信可能に構成されている。具体的には、チューナ１０２は、アンテナ１０７を介して放送波を受信可能に構成されている。また、チューナ１０２は、チャンネルを選局可能に構成されている。復調部１０３は、チューナ１０２が受信した放送波の信号を復調するように構成されている。具体的には、復調部１０３は、変調された放送波の信号を元の信号に復調するように構成されている。
【００３３】
通信ネットワーク送受信部１０４は、通信ネットワーク３００を介して情報を送受信可能に構成されている。また、通信ネットワーク送受信部１０４は、ＳＴＢ２００が受信した放送コンテンツを通信ネットワーク３００を介して受信可能に構成されている。つまり、通信ネットワーク送受信部１０４は、ＳＴＢ２００から転送された放送コンテンツを受信可能に構成されている。ＳＴＢ２００具体的には、通信ネットワーク送受信部１０４は、ＳＴＢ２００により所定の動画圧縮規格（たとえば、Ｈ．２６４）で圧縮されてストリーミング配信される放送コンテンツを受信可能に構成されている。また、通信ネットワーク送受信部１０４は、通信ネットワーク３００を介してＳＴＢ２００に対して操作信号を送信可能に構成されている。
【００３４】
メモリ１０５は、チューナ１０２または通信ネットワーク送受信部１０４を介して受信した放送コンテンツがバッファとして記憶されるように構成されている。具体的には、メモリ１０５は、放送コンテンツの放送コンテンツデータが最大で１０秒間分一時記憶（バッファリング）されるように構成されている。
【００３５】
デコーダ１０６は、放送波の信号を復号するように構成されている。具体的には、デコーダ１０６は、チューナ１０２を介して受信した放送波の信号（たとえば、ＭＰＥＧ−２規格の信号）をディスプレイ１０８およびスピーカ１０９に伝送する信号に復号するように構成されている。また、デコーダ１０６は、通信ネットワーク送受信部１０４を介して受信した所定の動画圧縮規格（たとえば、Ｈ．２６４）で圧縮された放送コンテンツの信号をディスプレイ１０８およびスピーカ１０９に伝送する信号に復号するように構成されている。
【００３６】
ディスプレイ１０８は、液晶パネル（図示せず）と、バックライト（図示せず）とを含む。また、ディスプレイ１０８は、携帯端末１００の動作に対応する画像を表示するように構成されている。また、ディスプレイ１０８には、携帯端末１００を操作するためのタッチパネル（図示せず）が一体的に設けられている。また、ディスプレイ１０８は、チューナ１０２または通信ネットワーク送受信部１０４を介して受信した放送コンテンツの画像を表示するように構成されている。スピーカ１０９は、携帯端末１００の動作に対応する音声を出力するように構成されている。また、スピーカ１０９は、チューナ１０２または通信ネットワーク送受信部１０４を介して受信した放送コンテンツの音声を出力するように構成されている。
【００３７】
ＳＴＢ２００は、テレビジョン装置（図示せず）が接続されており、放送波から受信した放送コンテンツ（番組）をテレビジョン装置に表示させるために出力するように構成されている。また、ＳＴＢ２００は、図３に示すように、ＣＰＵ（中央演算処理装置）２０１と、チューナ２０２と、復調部２０３と、通信ネットワーク送受信部２０４と、メモリ２０５と、トランスコーダ２０６とを含む。また、ＳＴＢ２００は、アンテナ２０７が接続されている。
【００３８】
ＣＰＵ２０１は、ＳＴＢ２００の各部を制御するように構成されている。具体的には、ＣＰＵ２０１は、メモリ２０５にプログラムを展開して、プログラムを実行することにより、ＳＴＢ２００の各部を制御するように構成されている。また、ＣＰＵ２０１は、チューナ２０２を介して受信した放送コンテンツをテレビジョン装置（図示せず）に出力する制御を行うように構成されている。また、ＣＰＵ２０１は、チューナ２０２を介して受信した放送コンテンツをトランスコーダ２０６により所定の動画圧縮規格（たとえば、Ｈ．２６４）に圧縮する制御を行うように構成されている。
【００３９】
また、ＣＰＵ２０１は、トランスコーダ２０６により圧縮した放送コンテンツを通信ネットワーク送受信部２０４により送信する制御を行うように構成されている。また、ＣＰＵ２０１は、通信ネットワーク送受信部２０４を介して携帯端末１００からの操作信号を受信可能に構成されている。
【００４０】
チューナ２０２は、放送波から放送コンテンツを受信可能に構成されている。具体的には、チューナ２０２は、アンテナ２０７を介して放送波を受信可能に構成されている。また、チューナ２０２は、チャンネルを選局可能に構成されている。復調部２０３は、チューナ２０２が受信した放送波の信号を復調するように構成されている。具体的には、復調部２０３は、変調された放送波の信号を元の信号に復調するように構成されている。
【００４１】
通信ネットワーク送受信部２０４は、通信ネットワーク３００を介して情報を送受信可能に構成されている。また、通信ネットワーク送受信部２０４は、チューナ２０２により受信した放送コンテンツを通信ネットワーク３００を介して携帯端末１００にストリーミング配信可能に構成されている。具体的には、通信ネットワーク送受信部２０４は、トランスコーダ２０６により所定の動画圧縮規格（たとえば、Ｈ．２６４）に圧縮された放送コンテンツの信号を携帯端末１００に送信可能に構成されている。また、通信ネットワーク送受信部２０４は、通信ネットワーク３００を介して携帯端末１００からの操作信号を受信可能に構成されている。
【００４２】
トランスコーダ２０６は、チューナ２０２を介して受信した放送波の信号（たとえば、ＭＰＥＧ−２規格の信号）を通信ネットワーク３００を介して伝送する所定の動画圧縮規格（たとえば、Ｈ．２６４）の信号に圧縮するように構成されている。
【００４３】
次に、図４および図５を参照して、携帯端末１００のＣＰＵ１０１およびＳＴＢ２００のＣＰＵ２０１による放送コンテンツ再生処理について説明する。
【００４４】
図５に示すように、ユーザにより視聴要求の操作が行われると、携帯端末１００のＣＰＵ１０１は、ＳＴＢ２００のＣＰＵ２０１に対して電源ＯＮ要求信号を送信する。また、ＣＰＵ１０１は、ステップＳ１において、再生可能バッファを確保する制御を行う。つまり、ＣＰＵ１０１は、チューナ１０２を介して放送コンテンツを受信して、メモリ１０５に放送コンテンツを一時記憶（バッファリング）させて、放送コンテンツが再生可能なバッファ量を確保する制御を行う。詳しくは、ＣＰＵ１０１は、ステップＳ１ａにおいて、放送コンテンツをスロー再生させる制御を行う。つまり、ＣＰＵ１０１は、再生速度を落として（たとえば、０．８倍速）放送コンテンツをディスプレイ１０８に表示する制御を行う。この間に、図４に示すように、メモリ１０５に放送コンテンツの再生可能なバッファ量が蓄積される。
【００４５】
ＣＰＵ１０１は、図５のステップＳ１ｂにおいて、最大バッファを確保する制御を行う。つまり、図４に示すように、ＣＰＵ１０１は、メモリ１０５に、放送コンテンツをさらに一時記憶させて、放送コンテンツのバッファ量を最大にする制御を行う。メモリ１０５の放送コンテンツのバッファ量が最大になると、ＣＰＵ１０１は、図５のステップＳ１ｃにおいて、放送コンテンツを正常再生させる制御を行う。つまり、ＣＰＵ１０１は、再生速度を正常（１倍速）にして放送コンテンツをディスプレイ１０８に表示する制御を行う。
【００４６】
携帯端末１００のＣＰＵ１０１のステップＳ１の処理と並行して、電源ＯＮ要求信号を受信したＳＴＢ２００のＣＰＵ２０１は、ステップＳ２において、ＳＴＢ２００の電源をＯＮ状態にする制御を行う。
【００４７】
チューナ１０２を介して放送コンテンツを受信して再生している場合に、放送波の信号受信感度（強度）が７０パーセント以下になった場合（ステップＳ３）、携帯端末１００のＣＰＵ１０１は、ＳＴＢ２００のＣＰＵ２０１に対してストリーミング配信要求を送信する。ＣＰＵ１０１は、ステップＳ３ａにおいて、放送コンテンツをスロー再生させる制御を行う。つまり、ＣＰＵ１０１は、再生速度を落として（たとえば、０．８倍速）放送コンテンツをディスプレイ１０８に表示する制御を行う。
【００４８】
ストリーミング配信要求を受信したＳＴＢ２００のＣＰＵ２０１は、ステップＳ３ｂにおいて、ストリーミング配信要求に対応した放送コンテンツの放送局の選局およびストリーミング配信を行う。具体的には、ＣＰＵ２０１は、携帯端末１００により再生していた放送コンテンツをチューナ２０２により選局して受信する。そして、ＣＰＵ２０１は、トランスコーダ２０６により、受信した放送コンテンツを圧縮変換する。その後、ＣＰＵ２０１は、通信ネットワーク送受信部２０４を介して、圧縮した放送コンテンツを携帯端末１００に対してストリーミング配信する制御を行う。
【００４９】
ＳＴＢ２００からの放送コンテンツのストリーミング配信を受信すると、携帯端末１００のＣＰＵ１０１は、ステップＳ３ｃにおいて、ストリーミング再生可能バッファを確保する制御を行う。つまり、ＣＰＵ１０１は、図４に示すように、通信ネットワーク送受信部１０４を介して放送コンテンツを受信して、メモリ１０５に放送コンテンツを一時記憶（バッファリング）させて、放送コンテンツがストリーミング再生可能なバッファ量を確保する制御を行う。ＣＰＵ１０１は、図５のステップＳ３ｄにおいて、通信ネットワーク送受信部１０４を介して受信した放送コンテンツをストリーミング再生してディスプレイ１０８に表示するように切り替える制御を行う。
【００５０】
なお、図４に示すように、ＣＰＵ１０１は、メモリ１０５のバッファに通信ネットワーク送受信部１０４を介して受信した放送コンテンツがストリーミング再生可能なバッファ量だけ蓄積されてから、メモリ１０５のバッファに一時記憶されたチューナ１０２を介して受信した放送コンテンツのバッファ量がなくなるまでの間に、通信ネットワーク送受信部１０４を介して受信した放送コンテンツをストリーミング再生してディスプレイ１０８に表示するように切り替える制御を行う。また、ＣＰＵ１０１は、チューナ１０２を介して受信した放送コンテンツをディスプレイ１０８に表示する制御から通信ネットワーク送受信部１０４を介して受信した放送コンテンツをディスプレイ１０８に表示する制御に切り替える場合に、放送コンテンツの時間情報に基づいて同期するように切り替える制御を行う。
【００５１】
ＣＰＵ１０１は、図５のステップＳ３ｅにおいて、ストリーミング最大バッファを確保する制御を行う。つまり、ＣＰＵ１０１は、図４に示すように、メモリ１０５のバッファに、放送コンテンツをさらに一時記憶させて、放送コンテンツのバッファ量を最大にする制御を行う。メモリ１０５のバッファの放送コンテンツのバッファ量が最大になると、ＣＰＵ１０１は、図５のステップＳ３ｆにおいて、放送コンテンツを正常再生させる制御を行う。つまり、ＣＰＵ１０１は、再生速度を正常（１倍速）にして放送コンテンツをストリーミング再生してディスプレイ１０８に表示する制御を行う。
【００５２】
通信ネットワーク送受信部１０４を介して放送コンテンツを受信してストリーミング再生している場合に、放送波の信号受信感度（強度）が７０パーセントより大きい状態が１０分以上続いた場合（ステップＳ４）、携帯端末１００のＣＰＵ１０１は、ステップＳ４ａにおいて、チューナ１０２を介して放送コンテンツを受信して、メモリ１０５のバッファに放送コンテンツを一時記憶（バッファリング）させて、放送コンテンツの再生可能なバッファ量を獲得する制御を開始する。
【００５３】
ＣＰＵ１０１は、ステップＳ４ｂにおいて、最大バッファを確保する制御を行う。つまり、ＣＰＵ１０１は、図４に示すように、メモリ１０５のバッファに、放送コンテンツをさらに一時記憶させて、放送コンテンツのバッファ量を最大にする制御を行う。メモリ１０５の放送コンテンツのバッファ量が最大になると、ＣＰＵ１０１は、図５のステップＳ４ｃにおいて、チューナ１０２を介して受信した放送コンテンツを再生してディスプレイ１０８に表示するように切り替える制御を行う。また、ＣＰＵ１０１は、チューナ１０２を介して受信した放送コンテンツを再生してディスプレイ１０８に表示するように切り替える場合に、放送コンテンツの時間情報に基づいて同期するように切り替える制御を行う。その後、携帯端末１００のＣＰＵ１０１は、ＳＴＢ２００のＣＰＵ２０１に対してストリーミング配信停止要求信号を送信する。
【００５４】
ストリーミング配信停止要求信号を受信したＳＴＢ２００のＣＰＵ２０１は、ステップＳ４ｄにおいて、ストリーミング配信を停止する。具体的には、ＣＰＵ２０１は、チューナ２０２による放送コンテンツの受信を停止するとともに、通信ネットワーク送受信部２０４からの放送コンテンツのストリーミング配信を停止する。
【００５５】
ユーザにより視聴終了の操作が行われると、携帯端末１００のＣＰＵ１０１は、ＳＴＢ２００のＣＰＵ２０１に対して電源ＯＦＦ要求信号を送信する。また、ＣＰＵ１０１は、ステップＳ５において、視聴終了処理を行う。具体的には、ＣＰＵ１０１は、チューナ１０２または通信ネットワーク送受信部１０４を介して放送コンテンツを受信する制御を停止するとともに、放送コンテンツをディスプレイ１０８に表示する制御を停止する。これにより、携帯端末１００のＣＰＵ１０１は、放送コンテンツ再生処理を終了する。また、電源ＯＦＦ要求信号を受信したＳＴＢ２００のＣＰＵ２０１は、ステップＳ６において、ＳＴＢ２００の電源をＯＦＦ状態にする制御を行う。
【００５６】
第１実施形態では、上記のように、チューナ１０２を介して受信した放送コンテンツを視聴中に放送波の受信強度が所定の閾値以下に低下した場合に、放送コンテンツをＳＴＢ２００から転送させる制御を行うＣＰＵ１０１を設けることによって、放送波の受信強度が低下した場合に、ＳＴＢ２００が受信した放送コンテンツが通信ネットワーク送受信部１０４を介して受信され、受信された放送コンテンツがディスプレイ１０８に表示されるので、放送波の受信強度が低下した場合でも、継続して放送コンテンツを視聴することができる。
【００５７】
また、第１実施形態では、上記のように、ＣＰＵ１０１を、放送波の受信強度が所定の閾値以下に低下した場合に、チューナ１０２を介して受信してメモリ１０５にバッファとして記憶された放送コンテンツを再生しながら、放送コンテンツをＳＴＢ２００から転送させる制御を行うように構成する。これにより、放送波の受信強度が低下した場合に、チューナ１０２を介して受信してメモリ１０５にバッファとして記憶された放送コンテンツが再生されてディスプレイ１０８に表示されるので、通信ネットワーク送受信部１０４を介して受信した放送コンテンツへの切り替え時に、放送コンテンツの表示が途切れることを容易に抑制することができる。
【００５８】
また、第１実施形態では、上記のように、ＣＰＵ１０１を、放送波の受信強度が所定の閾値以下に低下した場合に、チューナ１０２を介して受信した放送コンテンツをメモリ１０５にバッファとして記憶させるとともに、メモリ１０５に所定の量の放送コンテンツデータが記憶されて蓄積されてから、チューナ１０２を介して受信した放送コンテンツをディスプレイ１０８に表示する制御から通信ネットワーク送受信部１０４を介して受信した放送コンテンツをディスプレイ１０８に表示する制御に切り替えるように構成する。これにより、通信ネットワーク送受信部１０４を介して受信した放送コンテンツをディスプレイ１０８に表示するように切り替える場合に、放送コンテンツの表示が途切れることを容易に抑制することができる。
【００５９】
また、第１実施形態では、上記のように、携帯端末１００のＣＰＵ１０１を、放送コンテンツの視聴開始時に、チューナ１０２を介して受信した放送コンテンツをメモリ１０５にバッファとして記憶させるとともに、メモリ１０５に所定の量の放送コンテンツデータが記憶されて蓄積されるまで、再生速度を落として放送コンテンツをディスプレイ１０８に表示する制御を行うように構成する。これにより、放送コンテンツの視聴開始時に、再生速度を落として放送コンテンツをディスプレイ１０８に表示しつつ、所定の量の放送コンテンツデータをメモリ１０５にバッファとして蓄積させることができるので、放送コンテンツの視聴開始時に、放送コンテンツが表示されるまでの待ち時間を減少させながら、放送波の受信強度が低下した場合に、所定量のバッファにより、放送コンテンツの表示を一定時間継続することができる。
【００６０】
また、第１実施形態では、上記のように、携帯端末１００のＣＰＵ１０１を、チューナ１０２を介して受信した放送コンテンツをディスプレイ１０８に表示する制御から通信ネットワーク送受信部１０４を介して受信した放送コンテンツをディスプレイ１０８に表示する制御に切り替える場合に、通信ネットワーク送受信部１０４を介して受信した放送コンテンツをメモリ１０５にバッファとして記憶させるとともに、メモリ１０５に所定の量の放送コンテンツデータが記憶されて蓄積されるまで、再生速度を落として放送コンテンツをディスプレイ１０８に表示する制御を行うように構成する。これにより、通信ネットワーク送受信部１０４を介して受信した放送コンテンツをディスプレイ１０８に表示するように切り替える場合に、放送コンテンツの表示が途切れることを抑制しながら、メモリ１０５に所定の量の放送コンテンツデータを容易に蓄積することができる。
【００６１】
また、第１実施形態では、上記のように、携帯端末１００のＣＰＵ１０１を、チューナ１０２を介して受信した放送コンテンツを再生してディスプレイ１０８に表示している場合において、放送波の受信強度が放送コンテンツを再生できなくなる第１の閾値（たとえば、５０パーセント）より大きい第２の閾値（たとえば、７０パーセント）以下になった場合に、ＳＴＢ２００に、放送コンテンツを受信させて通信ネットワーク３００を介して放送コンテンツをストリーミング配信させるための配信要求信号を送信するように構成する。これにより、放送波の受信強度の低下に伴うストリーミング配信のトリガーとして、放送コンテンツを再生できなくなる第１の閾値（たとえば、５０パーセント）よりも大きい第２の閾値（たとえば、７０パーセント）が用いられるので、第２の閾値（たとえば、７０パーセント）以下になった場合に、放送波の受信を継続しながら、ＳＴＢ２００に放送コンテンツをストリーミング配信させることができる。その結果、放送波の受信強度が低下した場合に、放送コンテンツの表示が途切れることを確実に抑制することができる。
【００６２】
また、第１実施形態では、上記のように、携帯端末１００のＣＰＵ１０１を、通信ネットワーク送受信部１０４を介してＳＴＢ２００から受信した放送コンテンツを再生してディスプレイ１０８に表示している場合において、放送波の受信強度が第２の閾値（たとえば、７０パーセント）より大きい状態が所定の時間（たとえば、１０分間）以上続いた場合に、チューナ１０２を介して放送コンテンツを受信してディスプレイ１０８に表示する制御に切り替えるように構成する。これにより、放送波の受信強度が回復した状態が所定時間（たとえば、１０分間）継続した場合に、チューナ１０２を介して放送コンテンツを受信してディスプレイ１０８に表示する制御に戻されるので、放送波の受信強度が第２の閾値（たとえば、７０パーセント）より大きくなった場合にすぐに戻す場合と異なり、放送波の受信強度の第２の閾値近傍での揺らぎにより、チューナ１０２を介して受信した放送コンテンツを再生してディスプレイ１０８に表示する制御と、通信ネットワーク送受信部１０４を介して受信した放送コンテンツを再生してディスプレイ１０８に表示する制御とが頻繁に切り替わること（チャタリング）を抑制することができる。
【００６３】
また、第１実施形態では、上記のように、携帯端末１００のＣＰＵ１０１を、チューナ１０２を介して受信した放送コンテンツをディスプレイ１０８に表示する制御から通信ネットワーク送受信部１０４を介して受信した放送コンテンツをディスプレイ１０８に表示する制御に切り替える場合に、放送コンテンツの時間情報に基づいて同期するように切り替えるように構成する。これにより、チューナ１０２を介して受信した放送コンテンツをディスプレイ１０８に表示する制御から通信ネットワーク送受信部１０４を介して受信した放送コンテンツをディスプレイ１０８に表示する制御に切り替える場合に、視聴中の放送コンテンツを容易に連続して途切れることなくディスプレイ１０８に表示することができる。
【００６４】
（第２実施形態）
次に、図６を参照して、第２実施形態による視聴システム１について説明する。この第２実施形態では、ユーザによる視聴要求の操作が行われた場合に、ＳＴＢの電源をＯＮ状態にする制御を行うように構成されていた第１実施形態とは異なり、携帯端末からＳＴＢにストリーミング配信要求がされるまでＳＴＢの電源がＯＮ状態にされない構成の例について説明する。
【００６５】
ここで、第２実施形態では、携帯端末１００のＣＰＵ１０１は、放送波の受信強度が放送コンテンツを再生できなくなる第１の閾値（たとえば、５０パーセント）以下になった場合に、ＳＴＢ２００に、放送コンテンツを受信させて通信ネットワーク３００を介して放送コンテンツをストリーミング配信させるための配信要求信号を送信するように構成されている。つまり、ＣＰＵ１０１は、放送波の信号が途切れて放送コンテンツを再生できなくなった場合に、チューナ１０２を介して受信してメモリ１０５にバッファとして記憶された放送コンテンツを再生してディスプレイ１０８に表示しながら、通信ネットワーク送受信部１０４を介して放送コンテンツをＳＴＢ２００から受信し、通信ネットワーク送受信部１０４を介して受信した放送コンテンツをディスプレイ１０８に表示するように切り替える制御を行うように構成されている。
【００６６】
また、第２実施形態では、図６に示すように、ユーザにより視聴要求の操作が行われると、携帯端末１００のＣＰＵ１０１は、ステップＳ１において、再生可能バッファを確保する制御を行う。また、ステップＳ１ｃにおいて放送コンテンツを正常再生させる制御を行った後、チューナ１０２を介して放送コンテンツを受信して再生している場合に、放送波の信号受信感度（強度）が低下して信号途切れが発生した場合（ステップＳ１１）、携帯端末１００のＣＰＵ１０１は、ＳＴＢ２００のＣＰＵ２０１に対してストリーミング配信要求を送信する。具体的には、ＣＰＵ１０１は、放送波の受信強度が放送コンテンツを再生できなくなる第１の閾値（たとえば、５０パーセント）以下になった場合に、ＳＴＢ２００に対して電源ＯＮ要求信号を送信するとともに、放送コンテンツを受信させて通信ネットワーク３００を介して放送コンテンツをストリーミング配信させるための配信要求信号を送信する。
【００６７】
ストリーミング配信要求を受信したＳＴＢ２００のＣＰＵ２０１は、ステップＳ１１ａにおいて、ＳＴＢ２００の電源をＯＮ状態にする制御を行う。また、ＣＰＵ２０１は、ストリーミング配信要求に対応した放送コンテンツの放送局の選局およびストリーミング配信を行う。これにより、放送波の受信強度が放送コンテンツを再生できなくなる第１の閾値（たとえば、５０パーセント）以下になるまで、ＳＴＢ２００の電源をＯＦＦ状態にしておくことができるので、ＳＴＢ２００の消費電力を低減させることが可能である。
【００６８】
なお、第２実施形態のその他の構成は、上記第１実施形態と同様である。
【００６９】
上記のように、第２実施形態の構成においても、上記第１実施形態と同様に、放送波の受信強度が所定の閾値以下に低下した場合に、放送コンテンツをＳＴＢ２００から転送させる制御を行うＣＰＵ１０１を設けることによって、放送波の受信強度が低下した場合に、ＳＴＢ２００が受信した放送コンテンツが通信ネットワーク送受信部１０４を介して受信され、受信された放送コンテンツがディスプレイ１０８に表示されるので、放送波の受信強度が低下した場合でも、継続して放送コンテンツを視聴することができる。
【００７０】
さらに、第２実施形態では、上記のように、携帯端末１００のＣＰＵ１０１を、放送波の受信強度が放送コンテンツを再生できなくなる第１の閾値（たとえば、５０パーセント）以下になった場合に、ＳＴＢ２００に、放送コンテンツを受信させて通信ネットワーク３００を介して放送コンテンツをストリーミング配信させるための配信要求信号を送信するように構成する。これにより、放送波の受信強度が放送コンテンツを再生できなくなる第１の閾値（たとえば、５０パーセント）以下になった場合でも、ＳＴＢ２００からストリーミング配信される放送コンテンツを携帯端末１００のディスプレイ１０８に表示することができるので、継続して放送コンテンツを視聴することができる。
【００７１】
なお、第２実施形態のその他の効果は、上記第１実施形態と同様である。
【００７２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７３】
たとえば、上記第１および第２実施形態では、本発明の電子機器として、ＳＴＢ（セットトップボックス）を用いる構成の例を示したが、本発明はこれに限られない。本発明では、電子機器としてＳＴＢ以外の機器を用いてもよい。たとえば、ブルーレイディスクレコーダなどのレコーダや、テレビジョン装置などを、本発明の電子機器として用いてもよい。
【００７４】
また、上記第１および第２実施形態では、通信ネットワーク送受信部（通信部）を介して受信した放送コンテンツを再生してディスプレイ（表示部）に表示している場合において、放送波の受信強度が第２の閾値（たとえば、７０パーセント）より大きい状態が所定の時間（たとえば、１０分間）以上続いた場合に、チューナ（受信部）を介して放送コンテンツを受信してディスプレイに表示する制御に切り替える構成の例を示したが、本発明はこれに限られない。本発明では、通信部を介して受信した放送コンテンツを再生して表示部に表示している場合において、放送波の受信強度が第２の閾値より大きい第３の閾値（たとえば、８０パーセント）より大きくなった場合に、受信部を介して放送コンテンツを受信して表示部に表示する制御に切り替えるように構成してもよい。このように構成すれば、放送波の受信強度が一時的に第２の閾値より大きくなった場合に切り替える場合と異なり、放送波の受信強度の第２の閾値近傍での揺らぎにより、受信部を介して受信した放送コンテンツを再生して表示部に表示する制御と、通信部を介して受信した放送コンテンツを再生して表示部に表示する制御とが頻繁に切り替わること（チャタリング）を抑制することができる。
【００７５】
また、上記第１および第２実施形態では、チューナ（受信部）を介して受信した放送コンテンツをディスプレイ（表示部）に表示する制御から通信ネットワーク送受信部（通信部）を介して受信した放送コンテンツをディスプレイに表示する制御に切り替える場合に、通信ネットワーク送受信部を介して受信した放送コンテンツをメモリ（記憶部）にバッファとして記憶させる構成の例を示したが、本発明はこれに限られない。本発明では、受信部を介して受信した放送コンテンツを表示部に表示する制御から通信部を介して受信した放送コンテンツを表示部に表示する制御に切り替える場合に、通信部を介して受信した放送コンテンツを記憶部にバッファとして記憶させなくてもよい。
【００７６】
また、上記第１および第２実施形態では、メモリ（記憶部）に所定の量の放送コンテンツデータが記憶されて蓄積されるまで、再生速度を落として放送コンテンツをディスプレイ（表示部）に表示する構成の例を示したが、本発明はこれに限られない。本発明では、放送コンテンツを記憶部にバッファとして記憶させながら、再生速度を落とさずに正常の速度で放送コンテンツをディスプレイに表示する構成であってもよい。
【００７７】
また、上記第１および第２実施形態では、説明の便宜上、ＣＰＵ（制御部）の処理動作を処理フローに沿って順番に処理を行うフロー駆動型のシーケンス図を用いて説明したが、本発明はこれに限られない。本発明では、制御部の処理動作を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００７８】
１  視聴システム
１００  携帯端末
１０１  ＣＰＵ（制御部）
１０２  チューナ（受信部）
１０４  通信ネットワーク送受信部（通信部）
１０５  メモリ（記憶部）
１０８  ディスプレイ（表示部）
２００  ＳＴＢ（電子機器）
３００  通信ネットワーク（ネットワーク）
【図１】
2014096734.tif 000003
【図２】
2014096734.tif 000004
【図３】
2014096734.tif 000005
【図４】
2014096734.tif 000006
【図５】
2014096734.tif 000007
【図６】
2014096734.tif 000008